(57)【要約】      （修正有）【課題】尿道に挿入する際の最適な長さを考慮した長さより長めにカテーテルの全長を予め設定しておき、その長さが最適な長さより長過ぎたとしても動物の体表に確実に当接させ固定することができる尿道カテーテル固定具を提供する。【解決手段】尿道カテーテル固定具は、弾性部材からなる被挟持部材１と、挟持部材１１とを備える。被挟持部材１は、外周部に着脱可能に挟持部材１１が嵌合される筒状部３と、筒状部の一端部に設けられ複数の小孔が穿設された鍔部５と、挿通孔と、１つのスリットとを有する。スリットは、挿通孔の軸芯に沿う方向の被挟持部材１の全域に亘って軸芯方向に形成されている。挟持部材１１を被挟持部材の筒状部３の外周部に嵌合することで、被挟持部材の挿通孔にカテーテル２０が挿通された状態の筒状部の外周部にその外径が縮径する方向の緊締力が付与される。【選択図】図５
0003205178.tif 000002
【実用新案登録請求の範囲】
【請求項１】
筒状部と、該筒状部の一端部に設けられ該筒状部の軸芯に直交する面方向に延在し複数の小孔が穿設された鍔部とを有する弾性部材からなり、かつ、動物の尿道に挿入されるカテーテルを挿通可能な挿通孔を有する被挟持部材と、
前記被挟持部材の筒状部の外周部に着脱可能に嵌合される挟持部材とを備えた尿道カテーテル固定具であって、
前記被挟持部材の挿通孔は、前記筒状部の軸芯に沿って形成され、
前記挿通孔の軸芯に沿う方向の前記被挟持部材の全域に亘って１つのスリットが前記挿通孔の軸芯方向に形成され、該スリットを介して前記挿通孔と外部とが連通され、
前記被挟持部材の筒状部の外周部に前記挟持部材を嵌合することで、前記カテーテルが前記挿通孔に挿通された状態の前記筒状部の外周部にその外径が縮径する方向に緊締力を付与するようにしたことを特徴とする尿道カテーテル固定具。
【考案の詳細な説明】
【技術分野】
【０００１】
本考案は、犬や猫等の動物に使用する尿道カテーテル固定具に関するものである。
【背景技術】
【０００２】
特許文献１に示されている従来の尿道カテーテル固定具は、猫の尿道内に一端部が挿入されたカテーテルの他端部に、注射器等の医療器具が接続される接続部が結着され、この接続部の係合部が、猫の体表に固定するための固定板の被係合部に係脱可能に係合されるように構成されている。
【先行技術文献】
【特許文献】
【０００３】
【特許文献１】特開２００７−２３６５７４号公報
【考案の概要】
【考案が解決しようとする課題】
【０００４】
しかしながら、従来の尿道カテーテル固定具は、カテーテルと一体的に接続部が結着されていたため、猫の尿道から膀胱内までカテーテルを挿入する場合に膀胱内の所望の位置にカテーテルの先端が到達したとき、接続部が猫の体表に確実に当接するような長さにカテーテルの全長を正確に設定しておく必要があり、その作業が煩雑であった。すなわち、カテーテルの全長が長過ぎると、猫の膀胱内にカテーテルの一端部を挿入する作業が終了したとき、カテーテルの他端部が猫の体外から長く突出して、接続部に係合された固定板と猫の体表とが離間し過ぎてしまい、猫の体表に固定板を固定することができない。逆に、カテーテルの全長が短過ぎると、猫の膀胱内の所望の位置までカテーテルを到達させることができなくなる。
【０００５】
本考案は、このような問題を解消するためになされたもので、動物の尿道から体内に挿入する際の最適な長さを考慮した長さより長めにカテーテルの全長を予め設定しておきさえすれば、その長さが最適な長さより長過ぎたとしても動物の体表に確実に当接させ固定することができる尿道カテーテル固定具を提供することを目的とする。
【課題を解決するための手段】
【０００６】
この目的を達成するために、本考案に係る尿道カテーテル固定具は、筒状部と、該筒状部の一端部に設けられ該筒状部の軸芯に直交する面方向に延在し複数の小孔が穿設された鍔部とを有する弾性部材からなり、かつ、動物の尿道に挿入されるカテーテルを挿通可能な挿通孔を有する被挟持部材と、前記被挟持部材の筒状部の外周部に着脱可能に嵌合される挟持部材とを備えた尿道カテーテル固定具であって、前記被挟持部材の挿通孔は、前記筒状部の軸芯に沿って形成され、前記挿通孔の軸芯に沿う方向の前記被挟持部材の全域に亘って１つのスリットが前記挿通孔の軸芯方向に形成され、該スリットを介して前記挿通孔と外部とが連通され、前記被挟持部材の筒状部の外周部に前記挟持部材を嵌合することで、前記カテーテルが前記挿通孔に挿通された状態の前記筒状部の外周部にその外径が縮径する方向に緊締力を付与するようにしたことを特徴とするものである。
【考案の効果】
【０００７】
本考案によれば、動物の体内に挿入する際の最適な長さを考慮した長さより長めにカテーテルの全長を予め設定しておきさえすれば、その長さが最適な長さより長過ぎたとしても被挟持部材の鍔部の側面を動物の体表に確実に当接させ固定することができる。
【図面の簡単な説明】
【０００８】
【図１】（１）図は、本考案の実施の形態に係る尿道カテーテル固定具の被挟持部材を一方の斜め側方から見た状態を拡大して示す外観図であり、  （２）図は、同被挟持部材を他方の斜め側方から見た状態を拡大して示す外観図である。
【図２】同尿道カテーテル固定具の挟持部材の斜め側方を斜め上方から見た状態を拡大して示す外観図である。
【図３】（１）図は、同尿道カテーテル固定具の被挟持部材が装着されたカテーテルにスタイレット装置のスタイレットを挿入している状態を示した図であり、  （２）図は、同カテーテルにスタイレット装置を装着し終えた状態を示した外観図である。
【図４】（３）図は、同スタイレット装置が装着されたカテーテルを猫の陰茎に挿入して猫の体内の所望の位置まで到達させた状態を示した図であり、  （４）図は、（３）図に示す状態から同尿道カテーテル固定具の被挟持部材をカテーテルに対して相対移動させて猫の陰茎の先端まで移動させた状態を示した図である。
【図５】図４の（４）図に示す状態の被挟持部材に挟持部材を嵌合するとともにカテーテルからスタイレット装置を離脱させたのち、猫の陰茎の先端における包皮に被挟持部材を縫い付けた状態を示した図である。
【考案を実施するための形態】
【０００９】
以下、本考案に係る実施の形態を図１ないし図５を参照して詳細に説明する。図１において符号１で示すものは、本実施の形態に係る尿道カテーテル固定具の一部を構成する被挟持部材である。該被挟持部材１は、横断面の形状が略円形の筒状部３と、該筒状部３の一端部（図１の（１）図において右端部）に設けられた円盤状の鍔部５とを有している。なお、鍔部５の形状は、円盤状でなくてもよく、矩形状や楕円形状等のその他の形状を採用してもよい。筒状部３と鍔部５とは、弾性部材からなり、具体的には、ポリウレタン，塩化ビニルまたはシリコンエラストマ等の可撓性を有する軟質の樹脂材料からなり、熱を加えて互いに溶着することで両者を一体化している。なお、熱を加えて溶着する方法に替えて、接着剤により接着することで一体化するか、または、成形型に樹脂材料を注入して一体成形により形成してもよい。
【００１０】
筒状部３と鍔部５とは、それらの軸芯同士が同軸になるように配置され、鍔部５は、筒状部３の軸芯に直交する面方向に延在し、筒状部３および鍔部５の軸芯回りに互いに略等角度間隔を隔てるとともに該軸芯から略等距離だけ離間した位置に４個の小孔５ａ…が穿設されている。本実施の形態では、小孔５ａを４個設けているが、２個以上の複数であればよい。被挟持部材１には、猫や犬等の動物の尿道に挿入されるカテーテル２０（図３参照）を挿通可能な挿通孔７が形成されている。該挿通孔７は、その横断面の形状がカテーテル２０の挿入管２２の外径と略同一の直径を有する略円形に形成され、かつ、筒状部３の軸芯に沿って筒状部３と鍔部５とに連続して形成されている。挿通孔７の軸芯に沿う方向の被挟持部材１の全域に亘って１つのスリット９が挿通孔７の軸芯方向に形成されている。これによって、筒状部３と鍔部５とに連続して１つのスリット９が形成され、該スリット９を介して挿通孔７と外部とが連通されている。
【００１１】
図２において符号１１で示すものは、本実施の形態に係る尿道カテーテル固定具の他の一部を構成する挟持部材である。該挟持部材１１は、アクリロニトリルブタジエンスチレン（ＡＢＳ），ポリプロピレンまたはポリカーボネート等の硬質の樹脂材料からなり、被挟持部材１の筒状部３の外周部に着脱可能に嵌合される。挟持部材１１は、その横断面の形状が略Ｕ字状に形成されており、横断面の形状が円弧状の凹面部１１ａと、該凹面部１１ａの一対の終縁に連続してそれぞれ形成された一対の傾斜面部１１ｂ，１１ｂとを有している。一対の傾斜面部１１ｂ，１１ｂは、互いに対向し、かつ、凹面部１１ａの各終縁からそれぞれ遠ざかるに連れて互いに離間する方向に傾斜している。
【００１２】
凹面部１１ａにおいて横断面の形状が円弧に相当する部分の直径は、挟持部材１１を被挟持部材１の筒状部３に嵌合する前は、被挟持部材１の挿通孔７にカテーテル２０が挿通された状態の筒状部３の外径より小さい寸法に形成されている。これらの寸法の関係と、挟持部材１１を硬質の樹脂材料により構成したこととが相俟って、被挟持部材１の筒状部３の外周部に挟持部材１１を嵌合することで、カテーテル２０の挿入管２２が被挟持部材１の挿通孔７に挿通された状態の筒状部３の外周部にその外径が縮径する方向に緊締力が付与される。これによって、カテーテル２０の挿入管２２に対して被挟持部材１が相対移動することなくしっかりと固定される。なお、被挟持部材１の筒状部３の外周にさらに糸または紐を巻き付けて縛り付ければ、一層強固に被挟持部材１をカテーテル２０の挿入管２２に固定することができる。
【００１３】
＜カテーテルの挿入作業の手順＞
次に、動物として例えば雄猫の陰茎にカテーテルを挿入する場合の作業手順の一例について図３ないし図５をも参照して詳細に説明する。なお、図３において、カテーテル２０の挿入管２２については作図の都合上、長手方向中途部を省略して図示している。
まず、カテーテル２０の挿入管２２の長手方向中途部を被挟持部材１のスリット９を介して被挟持部材１の挿通孔７に挿入する。
次に、ステンレス製の細い針金からなるスタイレット２４の一端部（図３において左側）に把持部２６が結着されたスタイレット装置２８のスタイレット２４の他端部をカテーテル２０の挿入管２２内に挿入する（図３の（１）図参照）。そして、把持部２６の一端部に設けられた雌ねじ部２６ａをカテーテル２０の一端部（（図３の（１）図において左側））に設けられたコネクタ３０の雄ねじ部３０ａに螺合し、スタイレット装置２８のカテーテル２０への装着を完了する（図３の（２）図参照）。
【００１４】
なお、カテーテル２０の挿入管２２の長さは、挿入管２２が挿入されて到達すべき猫の膀胱内における所望の位置を考慮した長さより長めに設定されている。スタイレット装置２８のスタイレット２４の長さは、スタイレット装置２８をカテーテル２０に装着したとき、スタイレット２４の先端がカテーテル２０の挿入管２２の先端から突出することなく、挿入管２２の長手方向の略全域をスタイレット２４が占めるように設定されている。
次に、全身麻酔を施して鎮静状態にされた猫の陰茎Ｐの尿道Ｐａ内に、スタイレット装置２８が装着されたカテーテル２０の挿入管２２を挿入する（図４の（３）図参照）。このとき、挿入管２２の長手方向の略全域をスタイレット２４が占めているので挿入管２２の剛性が確保されるため、挿入管２２を尿道Ｐａ内に挿入する際に挿入管２２が座屈したり屈曲し難くなり、円滑に挿入することができる。
【００１５】
次に、カテーテル２０の挿入管２２の先端が、猫の膀胱内の所望の位置まで到達したら、陰茎Ｐに対して挿入管２２を相対移動させることなく、挿入管２２に対してその長手方向に陰茎Ｐの方に向かって被挟持部材１のみを相対移動させ、被挟持部材１の鍔部５の側面を陰茎Ｐの先端に当接させる（図４の（４）図参照）。なお、カテーテル２０の挿入管２２の内周面とスタイレット装置２８のスタイレット２４の外周面との間には隙間が空いているため、該隙間を介してスタイレット装置２８の把持部２６の開口２６ｂから尿が流出することができる。
次に、被挟持部材１の筒状部３に挟持部材１１を嵌合したのち、スタイレット装置２８の開口２６ｂから尿が流出するのを確認したら、カテーテル２０の雄ねじ部３０ａからスタイレット装置２８の雌ねじ部２６ａを離脱させてカテーテル２０からスタイレット装置２８を取り外す。
【００１６】
次に、被挟持部材１の鍔部５を、その各小孔５ａに縫合糸Ｓを通して猫の陰茎Ｐの先端の包皮に縫い付ける（図５参照）。このとき、被挟持部材１の各小孔５ａの部位が、筒状部３および鍔部５の軸芯回りに互いに等角度間隔を隔て該軸芯から等距離だけ離間した位置に位置付けられているので、各小孔５ａを利用して猫の陰茎Ｐの包皮に被挟持部材１が縫い付けられることで、被挟持部材１と該被挟持部材１に挿入されたカテーテル２０の挿入管２２の部位とが猫の陰茎Ｐに対して揺動することなく安定した姿勢を保持した状態でしっかり固定される。この結果、猫の陰茎Ｐの包皮に縫い付けられた部位の近傍に位置するカテーテル２０の挿入管２２の部位が屈曲して挿入管２２からの尿の流出が阻害されるようなことはない。
以上で、カテーテル２０の装入作業は終了する。
【００１７】
猫の尿道Ｐａ内に挿入されたカテーテル２０を介して薬液を注入する場合は、カテーテル２０のコネクタ３０の開口に、薬液が充填された注射器等を接続して注入する。
また、上述したカテーテル２０の装入作業が終了した後、猫の尿道Ｐａ内に挿入されたカテーテル２０から尿が流出して外部に滴下するのを防止するために、カテーテル２０のコネクタ３０に非浸透性の袋を着脱可能に装着して該袋内に尿を捕集するようにしてもよい。
なお、結石が尿道内に詰まることで排尿困難になり治療を必要とするケースは、雌猫に比べて尿道が長い等の理由で雄猫の方が圧倒的に多い。このため、上述した実施の形態では、雄猫を例に挙げて説明した。しかしながら、本実施の形態に係る尿道カテーテル固定具は、雌猫にも使用することができ、さらに、猫以外の動物としてネコ科に属するその他の動物や犬およびイヌ科に属するその他の動物にも適用することができるのは言うまでもない。
【００１８】
上述したような本考案の実施の形態に係る尿道カテーテル固定具によれば、尿道Ｐａに挿入する際の最適な長さを考慮した長さより長めにカテーテル２０の挿入管２２の全長を予め設定しておきさえすれば、その長さが最適な長さより長過ぎたとしても被挟持部材１の鍔部５の側面を猫の陰茎Ｐに確実に当接させ固定することができる。
【符号の説明】
【００１９】
１    被挟持部材（尿道カテーテル固定具）
３    筒状部
５    鍔部
７    挿通孔
９    スリット
１１    挟持部材（尿道カテーテル固定具）
２０    カテーテル
Ｐａ    尿道
【図１】
0003205178.tif 000003
【図２】
0003205178.tif 000004
【図３】
0003205178.tif 000005
【図４】
0003205178.tif 000006
【図５】
0003205178.tif 000007